(57)【要約】【課題】　製造時に光ファイバに回転力を与えた結果に関する情報を決定するシステムと方法を開示する。溶融ファイバが冷却した後、永久的なものとなるスピンと呼ばれる回転変形が与えられる。またこの回転力により、冷却したファイバにねじれが生じるが、これはファイバの非永久的な機械的回転である。【解決手段】　このシステムと方法では、時間に関してファイバの直径に対応する信号を出力する直径測定デバイスを使用する。ファイバは実際にはわずかに楕円形なので、ファイバに与えられる回転を反映する、直径測定信号の周期的変動が検出される。この信号をさらに処理して、ファイバに加えられる回転の効果、つまりファイバ内に存在するねじれとスピンに関するデータを得る。【選択図】　　　図３Ａ
2004051482.tif 000002
【特許請求の範囲】
【請求項１】
　光ファイバに与えられるスピンを決定する方法であって、
　ａ）　加熱されたプリフォームから光ファイバを延伸する工程、
　ｂ）　前記光ファイバの延伸速度を監視する工程、
　ｃ）　時間に対する前記光ファイバの直径の測定値を表す信号を出力する工程、
　ｄ）　前記信号から前記直径測定値の周期的変動を検出する工程、および、
　ｅ）　前記直径測定値および前記延伸速度の周期的変動を処理して前記光ファイバに与えられるスピンを決定する工程を特徴とする方法。
【請求項２】
　前記周期的変動を検出する工程が前記直径測定値の周期的変動を検出する工程を含み、前記直径測定値の前記周期的変動が相対的最大直径値および相対的最小直径値を含む請求項１に記載の光ファイバに与えられるスピンを決定する方法。
【請求項３】
　第１の最大直径値が検出され、後続の第２の最大直径値が検出され、後続の第３の最大直径値が検出され、スピン・レートが前記第１の最大直径値の検出から前記第３の最大直径値の検出までの期間に基づく請求項２に記載の光ファイバに与えられるスピンを決定する方法。
【請求項４】
　ある長さの光ファイバの回転を決定するシステムであって、
　既知の延伸速度で加熱されたプリフォームから光ファイバを延伸する延伸装置と、
　前記光ファイバが前記加熱されたプリフォームから延伸されるときに前記光ファイバの直径を測定する光ファイバ直径測定デバイスと、
　前記光ファイバが延伸される時に前記光ファイバにスピンを与えるスピン装置と、
　前記スピン装置の動作と延伸速度とを制御し、前記光ファイバ直径測定デバイスから前記光ファイバの直径の測定値を受信し、ある長さの前記光ファイバの回転を決定するプロセッサとを特徴とするシステム。
【請求項５】
　前記プロセッサが前記光ファイバ直径測定デバイスから受信した測定値に一部基づき前記スピン装置を制御し動作させる請求項４に記載の光ファイバの回転を決定するシステム。
【請求項６】
　前記スピン装置が第１の制限された持続時間に時計回りの方向でスピンを与え、第２の制限された持続時間に反時計回りの方向でスピンを与える請求項４に記載の光ファイバの回転を決定するシステム。
【請求項７】
　前記プロセッサが、前記プリフォームから前記光ファイバが延伸されるときに前記光ファイバ直径測定デバイスからの前記測定値に少なくとも一部基づき前記延伸装置の前記延伸速度を制御する請求項４に記載の光ファイバの回転を決定するシステム。
【請求項８】
　ある長さの光ファイバの長手方向軸に沿った回転を決定する方法であって、
　ａ）　既知の延伸速度でファイバ直径測定デバイスを通過して光ファイバを延伸する工程、
　ｂ）　回転力を前記光ファイバに与える工程、
　ｃ）　前記ファイバ直径測定デバイスによる前記光ファイバの直径の測定値を表す信号を出力する工程、
　ｄ）　前記光ファイバの前記直径測定値を表す信号の周期的変化を決定する工程、および、
　ｅ）　前記既知の延伸速度と共に前記信号を処理し、ある長さの前記光ファイバの長手方向軸に沿った回転を決定する工程を特徴とする方法。
【請求項９】
　前記信号をさらに処理して前記光ファイバに与えられるスピンを決定する請求項８に記載の光ファイバの長手方向軸に沿う回転を決定する方法。
【請求項１０】
　前記信号をさらに処理して前記光ファイバのねじれを決定する請求項８に記載の光ファイバの長手方向軸に沿う回転を決定する方法。
【発明の詳細な説明】
【技術分野】
【０００１】
　本発明は、光ファイバのスピンおよび機械的ねじれデータを取得するシステムと方法に関するものである。特に、本発明のシステムおよび方法では、プリフォームから引き出されるときに融解ファイバに与えられる回転速度と冷却ファイバに入り込む機械的回転速度を測定する。
【０００２】
　通信システムで一般に使用されているいわゆる「シングル・モード・光ファイバ」はその断面幾何形状が完全には対称的でないことはよく知られている。というよりむしろ、通常の光ファイバの断面はわずかに楕円形状をしているということであり、これは、１つには製造時に生じるさまざまな要因によるものと考えられる。このような欠陥が、特に光ファイバによって高速な伝送速度で伝送される信号の劣化に関わっている。劣化の一種に、偏波モード分散（ＰＭＤ）と呼ばれるものがある。ＰＭＤは、ファイバ内を伝搬する光線の２つの直交モードに関係する。非円形だけでなく、他の欠陥および内部応力のため、これら２つのモードは異なる伝搬定数で伝搬する。この伝搬定数の差を複屈折と呼ぶ。
【背景技術】
【０００３】
　ＰＭＤを低減するさまざまな試みがなされてきており、そうした試みで、製造時にファイバに回転を与えることが行われている。ＰＭＤを低減する従来技術の方法の１つでは、延伸工程でプリフォームをスピンする。
【０００４】
【非特許文献１】Ｂａｒｌｏｗ，ｅｔ　ａｌ．「Ａｐｐｌｉｅｄ　Ｏｐｔｉｃｓ」２０：２９６２−２９６８、１９８１年
【非特許文献２】Ｐａｙｎｅ，ｅｔ　ａｌ．「ＩＥＥＥ　Ｊｏｕｒｎａｌ　ｏｆ　Ｑｕａｎｔｕｍ　Ｅｌｅｃｔｒｏｎｉｃｓ」ＱＥ−１８：４７７−４８７、１９８２年
【非特許文献３】Ｒａｓｈｌｅｉｇｈ「Ｆａｂｒｉｃａｔｉｏｎ　ｏｆ　Ｃｉｒｃｕｌａｒｌｙ　Ｂｉｒｅｆｒｉｎｇｅｎｔ　Ｓｉｎｇｌｅ　Ｍｏｄｅ　Ｆｉｂｅｒｓ」Ｎａｖｙ　Ｔｅｃｈｎｉｃａｌ　Ｄｉｓｃｌｏｓｕｒｅ　Ｂｕｌｌｅｔｉｎ　５：７−１２、１９８０年
【特許文献１】ＰＣＴ特許出願番号ＷＯ　８３／００２３２
【０００５】
　スピンにより、ファイバの内部幾何形状および／または応力の非対称性がファイバの軸を中心に回転する。延伸工程でスピンを実行することにより、つまりプリフォームの根元が十分に溶融すると、延伸後ファイバのねじりで生じるような非対称性の回転と回転応力が組み合わさるのではなく、本質的に純粋な回転がファイバ非対称性に加えられる。ＰＭＤを低減するためねじりを利用することに関する議論については、以下文献を参照されたい。
【非特許文献４】Ｓｃｈｕｈ　ｅｔ　ａｌ．「Ｅｌｅｃｔｒｏｎｉｃｓ　Ｌｅｔｔｅｒｓ」（３１：１１７２−１１７３、１９９５年）
【非特許文献５】Ｕｌｒｉｃｈ，ｅｔ　ａｌ．「Ａｐｐｌｉｅｄ　Ｏｐｔｉｃｓ」（１８：２２４１−２２５１、１９７９年）
【０００６】
　ただし、溶融プリフォームのスピンには動作上の難点がある。目的の延伸速度を与えた場合、半固体／半溶融プリフォームを高速回転でスピンしなければならない（数千ｒ．ｐ．ｍ）。延伸の際にファイバを操作し、プリフォームを静止状態に保つことに依拠する代替が開発されている。ファイバをプリフォームから引く巻き上げローラーの角度を変更してファイバに回転を与えることができる。例えば、以下文献を参照をされたい。
【特許文献２】米国特許第５２９８０４７号
【０００７】
　使用する方法に関わらず、光ファイバにスピンを与え、与えられるスピンの量によりＰＭＤが低減される程度が決まる。スピンがファイバに「印加」されると、高温ゾーン内のファイバ材料はねじれ変形し、溶融状態から冷却されると変形がファイバ内に「凍結」される。いったん冷却されたファイバは、永久的「スピン」、つまり永久的ねじれ変形を示す。溶融ファイバに実際に加えられるスピンの量は、必ずしも、加えようとする量と同じではない。ファイバに与えられる回転移動に影響を及ぼす要因はさまざまである。例えば、ファイバはねじれを与えるローラー上で「スリップ」することがあり、溶融ファイバとスピン装置との間のファイバ・スパンの長さが冷却の程度、したがって実際に与えられるスピンの量を左右する。そこで、加えようとするスピンと比較した実際に加えられたスピンは１００％未満であり、必ずしも所定の時刻において予測できるわけではない。
【０００８】
　したがって、生産中の任意の時点に与えられるスピンの実際の量を測定するメカニズムがあれば、適切なレベルのスピンがファイバに加えられていることを確認できて都合がよい。与えられるスピンが存在することは、例えば、ファイバ内の気泡を顕微鏡で調べ芯の回転楕円率または偏心率を測定するか、または以下文献で使用されているような進行波型磁気光学変調装置を使用して容易に確認できる。
【非特許文献６】Ｍ．Ｊ．Ｍａｒｒｏｎｅ　ｅｔ　ａｌ．「Ｏｐｔｉｃｓ　Ｌｅｔｔｅｒｓ」（Ｖｏｌ．１２（１），６０頁）
【０００９】
　ただし、ファイバ内の気泡を顕微鏡で調べるなどの手法では、ファイバを破壊しなければならず、望ましくない。このような分析だと、スピン形成をリアルタイムで監視し、現場で影響を及ぼす機会はほとんどない。さらに、顕微鏡による調査は、破壊的であるだけでなく、時間と労力も大いに必要である。さらに、このような調査ではサンプル点でのスピンを測定することしかできない、つまりファイバ・ケーブル全長に対するスピンの測定は、この方法では非実用的であり、光ファイバを破壊することになる。
【００１０】
　リアルタイムでスピンを監視するこのようなメカニズムの１つが以下文献で提案されている。
【非特許文献７】Ｆ．Ｃｏｃｃｈｉｎｉ、Ａ．Ｍａｚｚｏｔｔｉ、Ａ．Ｒｉｃｃｏ、およびＡ．Ｒｏｓｓｉ「Ｏｎ−Ｌｉｎｅ　Ｆｉｂｅｒ　Ｓｐｉｎｎｉｎｇ　Ｍｏｎｉｔｏｒｉｎｇ　ｆｏｒ　Ｌｏｗ　ＰＭＤ　Ｏｐｔｉｃａｌ　Ｆｉｂｅｒｓ」（Ｐｒｏｃｅｅｄｉｎｇｓ　ｏｆ　ｔｈｅ　４９ｔｈ　Ｉｎｔｅｒｎａｔｉｏｎａｌ　Ｗｉｒｅ　ａｎｄ　Ｃａｂｌｅ　Ｓｙｍｐｏｓｉｕｍ，Ａｔｌａｎｔｉｃ　Ｃｉｔｙ，Ｎ．Ｊ．、２０００年１１月１３日〜１６日）
【００１１】
　この方式では、プリフォームから延伸してまもなく光ファイバの横断オンライン測定を行うことで得られるファイバ直径データに対してリアルタイム・フーリエ変換を実行する。このシステムは、パワー・スペクトル分析を使用して、信号とスピン・レートとの相関を求めている。高出力周波数が存在することと高スピン・レートには相関関係がある。
【発明の開示】
【発明が解決しようとする課題】
【００１２】
　ただし、フーリエ変換分析の使用は煩雑であり、かなり計算処理能力を必要とし、また結果とスピン・レートとの相関関係を求める分析がさらに必要になる。リアルタイムで出力されるデータの量は膨大なので、このような結果をリアルタイムで分析するのに必要とされる処理能力は重要である。したがって、従来技術でスピン・レートを測定できるが、製造工程中にスピン装置に影響を及ぼす制御システムにフィードバックを送るためにリアルタイムで測定を実行するのは実用的であるとは思われない。したがって、処理能力が少なくて済み、スピンをリアルタイムで測定できるリアルタイム・スピン・レートを測定するそれよりも単純なメカニズムが必要である。
【００１３】
　「スピン」に加えて、製造時に測定する光ファイバに関する測定単位に「ねじれ」がある。スピンおよびねじれの測定単位は関係しており、このような用語を入れ替えて使用する場合もある。しかし、本明細書で使用しているように、スピンは、溶融光ファイバに加えられる回転を指すが、「ねじれ」は冷却光ファイバに加えられる回転を指す。スピンは溶融ファイバに与えられ、ファイバが冷却したときには永久的に固定される。ねじれは、冷却した後光ファイバに加えられる機械的回転力を指す。ねじれにより、ファイバに対するねじり応力が加わり、量が極端だと微視的なひび割れが発生し、最終的に、ファイバが物理的に破壊する可能性がある。ファイバに加えられるねじれは、低減するか、なくすのが望ましい。光ファイバのねじれを減らす方法の１つに、ファイバの巻き戻し、巻き取りでファイバの「リスプール」を行う方法があるが、これもまた、時間がかかり、多大な労力を要する。製造時に加わるねじれを回避するか、または許容可能なレベルにまで下げることが好ましい。いずれにせよ、製造時に光ファイバ内のねじれのレベルを測定する方法が必要である。したがって、光ファイバに加わるねじれを測定するシステムと方法が必要である。
【課題を解決するための手段】
【００１４】
　本発明の一実施形態では、溶融プリフォームから延伸するときに光ファイバの直径を測定し、周期的最小直径および最大直径を検出し、直径測定と延伸速度を処理することにより光ファイバ内で与えられるスピンを決定して、光ファイバに与えられるスピンを測定する方法を開示する。
【００１５】
　本発明の他の実施形態では、光ファイバに与えられるスピンを測定し、溶融プリフォームからファイバを延伸する装置、延伸時にファイバの直径を測定する測定デバイス、ファイバ延伸速度と直径測定に関する入力を受け取り、光ファイバ内のスピン・レートを決定するプロセッサを備えるシステムを開示する。
【００１６】
　本発明の他の実施では、光ファイバを延伸し、前記光ファイバの延伸速度を監視し、延伸時に第１の点で光ファイバの第１の直径を測定して周期的直径測定を検出し、前記周期的直径測定を処理して光ファイバのねじれを決定するという、光ファイバのねじれを決定する方法を開示する。
【００１７】
　本発明の他の実施形態では、知られている延伸速度で光ファイバがファイバ直径測定デバイスのそばを通り過ぎ、光ファイバの直径の測定にはファイバ直径測定デバイスを使用し、光ファイバの直径の周期的変化を決定し、測定の周期的変化を前記知られている延伸速度で処理して光ファイバの主軸の周りの回転を測定する、光ファイバの主軸の周りの回転を測定する方法を開示する。
　本発明では一般的な用語で説明し、必ずしも付属の図面を参照してはいないし、また一定比例で作図されていない。
【発明の効果】
【００１８】
　本発明により、光ファイバ延伸工程でスピンをリアルタイムで測定するとともに機械的ねじれを測定するシステムおよび方法が得られる。
【実施例】
【００１９】
　以下では、本発明については、付属の図面を参照しながらより詳しく説明するが、発明のすべての実施形態ではなく一部を示す。実際、これらの発明は、さまざまな形態で実現することができ、本明細書で述べている実施形態に限られるものと解釈すべきではなく、むしろ、これらの実施形態は、本開示が該当する法的必要条件を満たすように提示される。類似の番号は、全体を通して類似の要素を指している。
【００２０】
　光ファイバを使って情報を伝達するのに用いる伝送速度が速ければ速いほど、光ファイバの品質がますます重要なものとなる。さまざまな欠陥は、伝送速度が低い間は取るに足らない要因であっても、伝送速度が上がるにつれ大きな要因となるか可能性がある。光ファイバに関連するこのような欠陥の１つに、偏波モード分散（ＰＭＤ）と呼ばれる一種の歪みがある。シングル・モード・ファイバは実際には、基本モードの２つの偏光状態を持つことがよく知られている。これらの状態は、互いに直交し、異なる速度で移動することができる。理想的には、各モードは同一速度で移動するが、光ファイバ内に欠陥があると、複屈折が生じる、つまり、２つの偏光状態の間に相対的伝搬遅延が生じることがある。
【００２１】
　ＰＭＤを低減するよく知られている方法では、光ファイバ形成時に光ファイバを回転させる。図１は、従来技術により光ファイバ装置を製造するための装置例を示している。純粋ガラスのプリフォーム１０は、光ファイバの材料としてすでに形成されている。このプリフォームを、従来の手段により熱源１５で加熱する。プリフォームを融点まで加熱し、ファイバを引き出すと、ネックダウン２０と呼ばれる角度領域が形成される。単一の光ファイバ２５が、半溶融状態のプリフォームから出現し、直径測定デバイス３０内を通過する。光ファイバは、下方へ続けて引かれ、光ファイバを保護するコーティングを塗布するコーティング塗布装置４０内を通過する。ファイバは、光コーティングを硬化させるユニット４３とコーティングが塗布された後直径全体を監視するユニット４５を通過する。次いで光ファイバは、スピンをファイバに与えるスピン装置６０に遭遇する。このようなメカニズムについては、前の特許で説明されており、ローラーまたは巻き取りホイール１９１を組み込むことができる（例えば、米国特許第５２９８０４７号を参照）。次に、光ファイバは個々のローラー１９２、１９３からなる一連のガイド・ローラー６５に遭遇し、最終的にファイバを引くキャプスタン７０に出会う。その後、ファイバをスプールの周りに巻き付ける（図には示されていない）。
【００２２】
　スピン装置６０は、角移動θ１　５５をファイバに与える。しかし、スピン装置６０はネックダウン領域２０から一定距離のところに配置されているため、ファイバは、コーティングが塗布されるまでに幾分冷却し、スピン装置と接触するとさらに冷却する。そこで、スピン装置が角移動θ１　５５を低い点で与えながら、別の角移動θ２　２８が値θ１＞θ２でネックダウン領域２０付近に与えられる。これは、一部、以下による。
　　１．ネックダウン領域とスピン装置との間のファイバの長いスパン、
　　２．コーティングの粘性抵抗特性、
　　３．ネックダウン自体の粘性抵抗特性、
　　４．スピン装置内のファイバの滑り、
　　５．その長さに沿ったファイバの温度差。
したがって、回転をスピン装置から溶融ファイバに与える効率は１００％未満である。溶融ファイバに与えられる回転の量は与えようとしている量と同じでないため、回転θ２　２８をリアルタイムで測定するのが望ましい。角θ２　２８がさまざまな時点に知られており、延伸速度が知られている場合、測定と測定の間のファイバの距離を計算し、１メートル当たりの回転速度を導くことができる。
【００２３】
　回転の測定は、光ファイバが完全には円形でないという事実に基づく。図２に示されているように、実際にはわずかに楕円形である。図２は、互いに直交するＸ軸１２０とＹ軸１１０に関して楕円１５０であることを示している。楕円１５０は、互いに直交する長軸ａ　１３０と短軸ｂ　１４０を持つものとして記述できる。この楕円は、所定の時刻に、長軸ａ　１３０とＸ軸１２０との間で測定された回転角度θ１６０を持つものとして記述できる。側面直径Ｄ　１７０は、θの関数であり、図の実施形態では、θが０または１８０度に等しいときに側面直径は最大になる。逆に、θが９０または２７０度に等しいときに側面直径は最小になる。側面直径を計算する数学的方法はいろいろある。そのような式の１つを以下に示す。
【００２４】
【数１】
2004051482.tif 000003
ただし、ｄ０は平均直径、ｄｉは調和振幅、θは相対的方位位置、φｉは相対的位相（回転）である。楕円形の光ファイバでは、第２高調波（ｉ＝２）が支配的である。そこで、直径測定から正弦波特性が明らかになる。
【００２５】
　光ファイバの直径を測定するには、本発明の一実施形態による直径モニタ・デバイス（直径測定デバイスともいう）３０を使用する。ファイバの直径を測定するのにさまざまな方法を使用することができ、本発明は、さまざまな直径測定デバイスを使用して説明できる。このような例の１つが図３に示されている。本発明の本実施形態における直径測定デバイスは、光ファイバ内を伝搬する光線のフリンジ・パターンを監視するが、このフリンジ・パターンは光ファイバの断面の影響を受ける。特に、この実施形態では、直径測定デバイスは、光ファイバ３２０の断面にレーザ光線３１０を通す。光ファイバはよく知られている物理特性に従って光線を曲げ、光線がファイバ内を通過した後フリンジ・パターンを形成する。その後、光線３３０はライン・スキャン・ダイオード３４０に当たり、ファイバの厚さによって異なる、形成されたフリンジ・パターン３５０に相関する電気信号を発生する。光ファイバの断面の位置を表す角度θ　３６０に基づき、ライン・スキャン・ダイオードからの信号が変調される。直径モニタは、角度θ　３６０に基づいて直径の変化を感知する。表１は、θに応じて変化する直径をまとめたものである。
【００２６】
【表１】
2004051482.tif 000004
【００２７】
　直径測定では、ファイバが回転すると周期的増減を繰り返す正弦波特性を示すと理想的である。現実には、測定されたファイバの直径は、熱源の温度、プリフォーム間の潜在的温度変動、ファイバ延伸の速度、微視的気泡の存在、および光ファイバ内の横方向機械振動など、スピン・レート以外のさまざまな要因の影響を受ける。
【００２８】
　図３Ａは、図３に示されている直径測定システムを採用する本発明による本発明のシステムの機能を示している。特に、直径測定デバイス３８６は、ライン・スキャン・ダイオードから入力信号３８５を受信する。直径測定デバイス３８６は、時間の関数として変化する直径測定信号を表す出力３８７を出力する。これらの信号は、時間の関数として変化する濾波された直径測定値３８９を出力するハイ・パス・フィルタ／ロー・パス・フィルタ３８８によって濾波される。これらの信号は、プロセッサ３９０に受信され、そこで、本発明の原理にしたがってデータが処理され、スピンおよびねじれデータ３９２を処理する。
【００２９】
　直径測定デバイス３８６の結果から得られる時間の関数として変化する測定信号を表すデータ３８７が図４に示されている。延伸速度は一定と仮定されているため、時間関数はファイバの長さに比例する。延伸時にさまざまな条件がファイバに影響するので、光ファイバは、スピンがない場合であっても、その長さに沿って平均直径が大きい領域４００も小さい領域４１０もある。これは、延伸時の長手方向軸に沿ったファイバ直径の変動によるものであり、また一部は、微視的気泡、プリフォーム内の局在する熱変動、振動などによるものである。図４は、ファイバ長に沿った平均ファイバ直径の固有変動を示しており、周波数が非常に低い信号が存在することを表している。直径測定に影響を及ぼすすでに明示されている要因に加えて、電気回路内に元々存在するさまざまな電気的雑音もまた信号に影響を及ぼす。
【００３０】
　図５は、ファイバ直径測定を示しているが、時間尺度が拡大されている。ファイバの延伸が行われ、同時にスピンが行われるときに、測定された直径のプロファイルは周期的に最大値および最小値を示す。図５からわかるように、ファイバの長軸１３０に沿う直径（図２に示されているような）はおよそ１２４．８２〜１２４．８７μｍの周期的ピーク５００を示す。さらに、図５からわかるように、短軸１４０に沿う直径は、周期的谷５１０に基づき約１２４．６４〜１２４．６７μｍである。平均直径は、約１２４．７５μｍと推定できる５２０。
【００３１】
　図５は、「ギザギザ」の波形を発生する高い周波数の信号が存在することを示している。上記の要因により、直径読み取り値が変化し、スピン・レートの決定に悪影響を及ぼすことがある。したがって、図３Ａの直径測定信号３８７を標準的なフィルタ処理手法で濾波して、スプリアス雑音信号を除去する必要がある。信号にハイ・パス・フィルタ３８８を実行して、スプリアス雑音信号となる高周波成分を除去する。さらに、信号にロー・パス・フィルタ３８８を実行して、ファイバの長さに沿う光ファイバの平均直径の固有変動に対応する低周波信号をいくつか除去する。ロー・パス・フィルタを使用すると、平均直径信号が一定になるが、スピンによって加えられる直径変動に対応する信号の周波数成分を除去することはできない。スピンによる直径変動と関連する信号の周波数は、平均直径の変化と関連する直径変動よりも高い周波数である。フィルタ処理後、得られる信号３８９が図６に示されている。図６は、正規化振幅も示しており（つまり、直流成分が除去されている）、平均直径はゼロである。
【００３２】
　所定期間にわたるスピンの数については、さまざまな方法で計算により求めることができるが、共通原理に基づいている。つまり、楕円型ファイバを１回だけ回転するのに、θの３６０度の回転を必要とする。これを決定するには、最大直径を出発点として検出し、次の最大直径（１８０度の回転に対応する）を検出し、そして第２の次の最大直径（３６０度回転に対応する）を検出する。これとは別に、最小直径を検出するか、または直径の平均値を監視することもでき、平均直径表示は４番目毎に単一回転を示す。
【００３３】
　図６を参照すると、正の値６００は長軸面に沿う、または一部沿う測定を示す上記の平均直径を示しているが、負の値６１０は短軸面に沿う、または一部沿う測定を示す。値の相対的増減は、長軸と短軸に関する相対的回転を示す。上で開示したようにさまざまな方法で、ただし正規化された値を使用して所定の期間の回転数を計算できる。図の実施形態では、所定の期間のゼロ交差回数を数えて、４で割ることにより回転数を求めている。
【００３４】
【数２】
2004051482.tif 000005
回転数が求められたら、測定が行われたファイバの長さを計算することによりスピン・レート（長さ当たりの回転数）を容易に求めることができる。延伸速度は知られているので、スピン・レートは以下の式で求められる。
　　スピン／メートル＝回転数／（延伸速度＊時間間隔）
図７は、時間の関数としてスピン・レート（回転数／メートル）をマッピングする光ファイバの代表的スピン・パターンを示している。
【００３５】
　上の説明でわかるように、スピン・レートの計算では、汎用マイクロプロセッサを使用して比較的高速に実行できる基本的な算術演算を使用しており、プロセッサを酷使する複雑な高速フーリエ変換計算は必要ない。スピンを計算するのに必要な計算処理能力は比較的控えめなので、スピン・レートの計算はリアルタイムで実行することができ、したがって、スピン装置５０のリアルタイム調整および監視により目的のスピン・レートを得られる。さらに、巻き取りキャップスタン６０の回転速度で決定される巻き取り速度を監視することにより、直線的延伸速度がわかる。このため、リアルタイムのスピン・レートを光ファイバの長さにわたって容易に計算することができる。
【００３６】
　さらに上記システムは、光ファイバに与えられるねじれを求めるのにも使用できる。光ファイバへのねじれはいろいろな形で加えられる。図１を参照すると、ネックダウン領域２０とスピン・デバイス６０の間でファイバ２５に回転が加えられると、スピン・デバイス６０と巻き取りローラー１９２との間に回転が加わる。このため、ファイバがキャップスタン７０を通った後も残るねじれがファイバに加えられる可能性がある。しかし、従来技術では、スピン・デバイス６０によって加えられる回転は方向を交互に変えと教示されている（例えば、Ｈａｒｔによる米国特許第５２９８０４７号を参照）。そこで、最初、回転は時計回りで、その後、２回目には反時計回りになることがある。ある期間に加えられた回転の数が反対方向の回転の数で相殺される場合、加えられる正味の回転数は０であり、巻き取りで生じるねじれが最小になる。
【００３７】
　図７のスピン・レートは、時間に対するスピン・レート関数を示している。谷７００は、ファイバ回転方向が変化する場合を表す。理論上、方向の反転は回転が０のファイバのある点に対応する。回転変化が生じる速度と図の実施形態の分解能に対する制限が指定されると、図７のデータは０に近い回転に対応する周期的谷７００を示す。例えば、Ｔ１期間はピークは一方の方向の回転を示し、Ｔ２期間はその反対方向の回転を示す。それとは別に、このデータと回転方向との相関関係を求めることができ、スピン・レートは回転方向を反映し、正の値が一方の回転方向を反映し、負の値がその反対の回転方向を反映するグラフが得られる。
【００３８】
　図７に戻ると、Ｔ１　７１０は、回転が一方の方向である期間を示し、Ｔ２　７２０は回転がその反対の方向である期間を示している。Ｔ１とＴ２を隔てている谷７００は全く０であるというわけではないが、理論的にはこの点は回転方向の変化に対応しており、その結果値は０である。曲線の「下の」領域（つまり、曲線とＸ軸に挟まれた領域）は波形の積分を表す。例えば、曲線のＡｒｅａ１　７３０はＴ１　７１０における波形の積分を表す。この領域は以下を表す。
【００３９】
【数３】
2004051482.tif 000006
【００４０】
　延伸速度はＴ１およびＴ２に関して一定であると仮定できるため、Ｔ１およびＴ２期間に延伸されるファイバの対応する長さは同じである。したがって、図７のグラフは、スピン／メートル対ファイバ長（メートル単位）で描画し直すこともできる。これは、本質的に同じグラフであるが、Ｘ軸がファイバ距離を表している。Ｔ１（またはＴ２）期間のこのような曲線の下の領域は以下を表す。
　　面積＝（スピン数／メートル）＊メートル
　　面積＝スピン数
【００４１】
　Ｔ１期間のスピン数がＴ２期間のスピン数と同じであっても、方向が異なれば、その期間のスピンの正味の数は０である。このため、その期間（所定のファイバ長に対応する期間）にはファイバの正味のねじれは０となる。同様に、スピンの正味の数がほとんど０であれば、正味のねじれは、目的とするある最大のレベル以下に維持できる。
【００４２】
　システムは、スピンとねじれをリアルタイムで測定できるため、データに対して実行された計算の結果を使用して、スピン・レート、延伸速度、またはファイバ内のスピンまたはねじれに影響を及ぼす他の変数を変えることができる。リアルタイムの測定を行わなければ、製造のリアルタイム制御を実行できない。このシステムでは、さまざまなパラメータをリアルタイムで制御することにより、ファイバのねじれを最小限に抑えることができる。
【００４３】
　もちろん、当業者であれば、延伸工程の２点でスピン・レートを測定するのに２つのシステムを採用するなど、別の手段を講じることもできる。第１のシステムで、溶融プリフォームのネックダウン付近でスピン・レートを測定し、第２のシステムで、例えば、巻き取りホイールの後の第２の点でスピン・レートを測定することもできる。対応する点（つまり、わずかに異なる時点）でスピン・レートを比較し、スピン・レートの正味の差を検出すると、この差は製造工程で入り込むねじれのせいである。
【００４４】
　もちろん、本発明の原理を説明するために他のバリエーションを採用することも可能である。例えば、システムで、ゼロ交差点を検出するのではなく、所定の期間にわたる最大直径および最小直径を検出することも可能である。それとは別に、スピン・パターンの微分を計算することで、長軸（最大直径）または短軸（最小直径）が直径測定デバイスを通過した回転したときにそのことを決定することができる。同様に、ある期間に長軸（または短軸）の数を求めて４で割ることにより、期間当たりの回転数を得る。したがって、本発明は開示されている特定の実施形態に限られるわけではなく、また修正およびその他の実施形態および回転を決定するアルゴリズムは付属の請求項の範囲内に収まることは理解されるであろう。本明細書では特定の用語を用いているが、一般的な意味で、また説明する目的でのみ使用しており、制限するものではない。
【図面の簡単な説明】
【００４５】
【図１】従来技術の光ファイバ延伸装置の実施例の図である。
【図２】楕円型光ファイバ例の断面図である。
【図３】本発明の一実施形態によるファイバ直径測定メカニズム例の図である。
【図３Ａ】本発明の一実施形態によるシステムの機能を示す図である。
【図４】本発明の一実施形態によるファイバ直径監視メカニズムで発生する信号の例を示す図である。
【図５】本発明の一実施形態による直径監視メカニズムの実行に要する時間の関数としての直径測定例を示す図である。
【図６】本発明の一実施形態による関数としての正規化直径測定例の図である。
【図７】本発明の一実施形態による時間の関数としてのスピン・パターン測定例の図である。
【図１】
2004051482.tif 000007
【図２】
2004051482.tif 000008
【図３】
2004051482.tif 000009
【図３Ａ】
2004051482.tif 000010
【図４】
2004051482.tif 000011
【図５】
2004051482.tif 000012
【図６】
2004051482.tif 000013
【図７】
2004051482.tif 000014